(57)【特許請求の範囲】
【請求項１】
扉枠と、扉枠に丁番で開閉自在に取り付けた袖扉とを備え、袖扉は吊元側端部に係合部を有し、吊元側竪枠は被係合部を有し、係合部と被係合部とを係合して、袖扉を閉じた閉位置に保持しており、
被係合部と係合部を袖扉の上下端にわたる長さに形成していることを特徴とする袖扉装置。
【請求項２】
丁番は、回転軸を挿通する枠側回転軸挿通部を形成した枠側取付部材と、回転軸を共通に挿通する扉側回転軸挿通部を形成した扉側取付部材とを有し、枠側回転軸挿通部と扉側回転軸挿通部との間に、回転軸の長手方向に所要の間隙を設けていることを特徴とする請求項１に記載の袖扉装置。
【請求項３】
係合部は吊元側端部の室内側に設けてあることを特徴とする請求項１又は２に記載の袖扉装置。
【請求項４】
係合部は断面略Ｕ字状であり、被係合部は断面略コ字状であることを特徴とする請求項１〜３のいずれか１項に記載の袖扉装置。
【請求項５】
係合部と被係合部とを、互いに弾性的に係合していることを特徴とする請求項１〜４のいずれか１項に記載の袖扉の袖扉装置。
【請求項６】
袖扉の下端面が下枠の上面に当接していることを特徴とする請求項１〜５のいずれか１項に記載の袖扉装置。
【発明の詳細な説明】
【技術分野】
【０００１】
本発明は、建築構造物において、袖扉を丁番により扉枠に対して開閉自在に取り付けた袖扉装置に関する。
【背景技術】
【０００２】
従来、扉を扉枠に開閉可能に取り付けるための丁番と、これを用いた取付け構造として特許文献１に開示されたものがある。
特許文献１に開示された丁番は、枢軸の両端を受ける上下の筒状軸受け部を備えた第１の取付片と、枢軸の中間部を摺動並びに回動自在に相通する中間筒部を備えた第２の取付片とを備え、前記第１の取付片の少なくとも下方の軸受け部の受け孔に上下調整用のカラーが螺合されており、このカラーの上端面に第２の取付片の中間筒部の下面が受け止められ、前記カラーに回動用の係合部が形成されていてこのカラーを回動することにより第２の取付片が枢軸に沿って上下に移動調整できるように形成されており、前記第２の取付片が取付台盤に対して調整びす並びに長孔を介して取付片横方向に移動調整自在に取り付けられているものである。
【０００３】
また、上記の丁番を用いた扉の扉枠への取付け構造は、扉に隣接する建具側枠に扉の厚みより大きな奥行き巾を有し且つ適当な深さを有する切り込み部を形成し、この切り込み部の内面に蝶番の第１の取付け片を取り付け、第２の取付け片を扉の端面に取り付けるとともに、蝶番の枢軸の中心が側枠の前面ラインと略同じ位置になるように設定したものである。
【特許文献１】特開平１１−２４１５５０号公報
【発明の開示】
【発明が解決しようとする課題】
【０００４】
ところで、常時は閉鎖状態にしておき、例えば家具等の大型の物品を室内に搬入するときに搬入路を拡幅するために開放する戸に併設した袖扉なるものが知られている。
この袖扉に、特許文献１に記載の丁番の取付け構造を適用して、その袖扉を扉枠の側枠に対して上下、左右に調整しようとすると、袖扉を閉じた状態において側枠と袖扉との対向辺縁間や袖扉の下端面と下枠との間に隙間が生じて気密性を確保できないことになる。
また、袖扉を丁番で支持した状態で、その袖扉を閉じた状態にしておくには、そのための機構を別途設けなければならず、構造が複雑になるという問題もある。
【０００５】
そこで本発明は、扉枠の下枠と袖扉の下端面との間に隙間を形成することなく、簡易な構造により袖扉を閉じた状態に保持できる袖扉装置の提供を目的としている。
【課題を解決するための手段】
【０００６】
請求項１に記載した発明は、扉枠と、扉枠に丁番で開閉自在に取り付けた袖扉とを備え、袖扉は吊元側端部に係合部を有し、吊元側竪枠は被係合部を有し、係合部と被係合部とを係合して、袖扉を閉じた閉位置に保持しており、被係合部と係合部を袖扉の上下端にわたる長さに形成したことを特徴としている。
【０００７】
請求項２に記載の発明は、請求項１に記載した丁番が、回転軸を挿通する枠側回転軸挿通部を形成した枠側取付部材と、回転軸を共通に挿通する扉側回転軸挿通部を形成した扉側取付部材とを有し、枠側回転軸挿通部と扉側回転軸挿通部との間に、回転軸の長手方向に所要の間隙を設けたものである。
【０００８】
請求項３に記載の発明は、請求項１又は２に記載した係合部が吊元側端部の室内側に設けてある。
【０００９】
請求項４に記載の発明は、請求項１〜３のいずれか１項に記載した係合部が断面略Ｕ字状であり、被係合部が断面略コ字状である。
【００１０】
請求項５に記載の発明は、請求項１〜４のいずれか１項に記載した係合部と被係合部とを、互いに弾性的に係合している。
【００１１】
請求項６に記載の発明は、請求項１〜５のいずれか１項に記載した袖扉の下端面が下枠上面に当接している。
【発明の効果】
【００１２】
請求項１に記載した発明によれば、袖扉を閉じるだけで、袖扉を閉じた状態に保持することができる。
さらに、被係合部と係合部とが、袖扉の上下端にわたって密着することにより、内側枠部と袖扉との間における通気を遮断して、気密性を確保できる。
請求項２に記載した発明によれば、請求項１に記載の発明で得られる効果に加え、丁番の回転軸の長手方向に設けた所要の間隙を利用して袖扉を上下動させることにより、下枠に袖扉を当接載置することができ、これにより、下枠と袖扉との間の通気を遮断できる。
また、袖扉を開閉する際には袖扉を上方に移動させられるので、袖扉によって下枠を傷つけることを防止できる。
【００１３】
請求項３に記載の発明によれば、請求項１又は２に記載の発明で得られる効果に加え、係合部が吊元側端部の室内側に設けてあるので、室外から係合部や被掛合部を視認されることがなく、外観デザインを制限されることがない。
【００１４】
請求項４に記載の発明によれば、請求項１〜３のいずれか１項に記載した発明で得られる効果に加え、係合部が断面略Ｕ字状であり、被係合部が断面略コ字状であるので、構造を簡素化できる。
【００１５】
請求項５に記載の発明によれば、請求項１〜４のいずれか１項に記載した発明で得られる効果に加え、係合部と被係合部とを互いに弾性的に係合しているので、袖扉を閉じた状態を弾性的に保持することができる。
【００１６】
請求項６に記載の発明によれば、請求項１〜５のいずれか１項に記載した発明で得られる効果に加え、袖扉の下端面を下枠上面に当接しているので、扉枠の下枠と扉の下端面との間の通気を遮断できる。
【発明を実施するための最良の形態】
【００１７】
以下に、本発明を実施するための最良の形態について、図面を参照して説明する。図１（Ａ）は、本発明の一実施形態に係る袖扉装置を採用した扉体を室内側から視た正面図、（Ｂ）は、その扉体を室外側から視た正面図である。また、図２，３は、図１（Ａ）に示すＩ‐Ｉ線に沿う部分のそれぞれ拡大図であり、図２は袖扉を閉位置に移動した状態を示し、図３は、袖扉を開位置に移動した状態を示している。
【００１８】
本発明の一実施形態に係る袖扉装置を採用した扉体Ａは、図１に示すように、扉枠１０、主扉２０及び袖扉３０を有して構成されている。
扉枠１０は例えばアルミ合金で形成されており、竪枠１，２の上下端部間に、上枠３と下枠４とを横架して長方形に形成されている。
【００１９】
竪枠１，２の枠内側には、内側枠部１１，１２が一体に形成されている。
内側枠部１１，１２のうち、一方の内側枠部１２には、これの上下所要の位置に配設された三つの丁番１５…を介して、主扉２０が開閉自在に軸支されている。
竪枠（以下、「吊元側竪枠」という。）１の内側枠部１１には、これの上下所要の位置に配設された複数の丁番４０…を介して袖扉３０が開閉自在に軸支されている。
【００２０】
内側枠部１１は、図２に示すように、平断面において四角筒形に形成された主枠材１６と、この主枠材１６の一の角部に形成された気密用部材１７とを一体に成形したものである。
気密用部材１７は、主枠材１６の全長にわたり形成されており、その主枠材１６の枠内側壁１６ａと同じ平面上に延出した基板部１８の開放端部に、被係合部１９を形成したものである。
【００２１】
基板部１８の枠外側壁１８ａの基端部には、断熱材５０を嵌合するための平面視コ字形の嵌合用片１８ｂ，１８ｂが、互いに所要の間隔をおいて形成されている。
上記嵌合用片１８ｂ，１８ｂに断熱材５０を嵌合させることにより、部屋内外の熱伝達を低減させることができる。
【００２２】
被係合部１９は、袖扉３０の上下端にわたる長さに形成されているとともに、後述する係合部７２と係合することにより、その袖扉３０を閉じた閉位置（ア）に保持するように、枠内側壁１８ｃに、二つの係合用片１９ａ，１９ｂを互いに所要の間隔にして突出させて形成したものである。
【００２３】
換言すると、本実施形態において示す被係合部１９は、係合用片１９ａ，１９ｂを平面視において断面コ字状に形成されている。
また、一方の係合用片１９ｂが、後述するカバー部材７０と面一となるように、上記した基板部１８の幅寸法Ｗ１を設定している。
【００２４】
他方の係合用片１９ｂの室外側壁には、タイト部材６０を嵌合保持するための嵌合用片１９ｃ，１９ｃが、互いに所要の間隔をおいて突設されている。
タイト部材６０は弾性変形可能なゴム材等から形成されており、平面視において略台形にした本体６１の室外側壁に、三枚の当接片６２〜６４を互いに間隔をおいて一体に突出して形成したものである。
【００２５】
当接片６２〜６４は、枠外側から枠内側に向けて順次大きな全長となるように形成している。これらの当接片６２〜６４は、袖扉３０を上記閉位置（ア）に移動させたときに、その袖扉３０の当接片３３ａに弾性的に当接して変形することにより、室内外の通気を遮断して気密性を高める機能を有するものである。
【００２６】
ところで、主枠材１６の枠内側壁１６ａには、上記した吊元側竪枠１の内側枠部１１に袖扉３０を開閉可能に軸支するための丁番４０が、内側枠部１１の高さ方向に互いに間隔をおいて複数配設されている。
【００２７】
図４は、扉枠に対して袖扉を開閉自在に軸支する丁番を示しており、（Ａ）は、その平面図、（Ｂ）は、その正面図である。
丁番４０は、回転軸４１を挿通する枠側回転軸挿通部４２ａ，４２ａを形成した枠側取付部材４２と、その回転軸４１を共通に挿通する扉側回転軸挿通部４３ａを形成した扉側取付部材４３とを有するものである。
【００２８】
枠側取付部材４２は、内側片部４２ｂ、連結片部４２ｃ、取付け片部４２ｄを一体に形成したものである。
なお、４４は、丁番４０を袖扉３０や内側枠部１１に螺着するためのねじを挿入するためのねじ孔である。
【００２９】
連結片部４２ｃは、内側片部４２ｂに対して直角に曲成されており、また、取付け片部４２ｄは、内側片部４２ｂと並行となるように、連結片部４２ｃに対して直角に曲成されている。
【００３０】
内側片部４２ｂの枠外側壁には、図２に示すように、袖扉３０を開いた状態にしたときに、後述する室外側フレーム部材３２の被覆片部３２ａの辺縁を当接させるための緩衝部材６５が貼着されている。
【００３１】
緩衝部材６５は、被覆片部３２ａが直接的に内側片部４２ｂに当接することを防ぐとともに、異音の発生を防止するためのものであり、例えばウレタン材やゴム材等から形成している。
【００３２】
枠側回転軸挿通部４２ａと扉側回転軸挿通部４３ａとの間には、回転軸４１の長手方向ａに所要の間隙α１を設けている。
所要の間隙α１は、閉位置（ア）にある袖扉３０の下端面を、外枠１０の下枠１４の上面への当接を許容できる値であり、これにより、閉位置（ア）にある袖扉３０を回転軸４１の長手方向ａにおいて移動できるようにしている。
【００３３】
具体的には、閉位置（ア）にある袖扉３０を下枠１４の上面に当接載置できるようにしている。これにより、袖扉３０と下枠１４との間における通気を遮断できるようにしているのである。
【００３４】
さて、袖扉３０は、フレーム３１と、カバー部材７０とを主要の構成としたものである。
フレーム３１は、室外側フレーム部材３２と室内側フレーム部材３３とを、図２に示すように、主枠材１６の幅Ｗ２と略一致した間隔にして、これらの両縁部に枠内側フレーム部材３４と枠外側フレーム部材３５とを一体に連結した構造になっている。
【００３５】
室外側フレーム部材３２は、これの室外側辺縁を、枠外側フレーム部材３５よりも枠外側に延出することにより被覆片部３２ａとしており、これにより、丁番４０が室外側から視認できないようにしている。
【００３６】
枠内側フレーム部材３４の室外側辺縁には、上記した当接片６２〜６４が弾性的に当接するように、室内側フレーム部材３３を枠外側に延出した当接片部３３ａが形成されている。
枠内側フレーム部材３４の室内側辺縁には、タイト部材６０と断熱部材５１とを嵌合支持するとともに、後述するカバー部材７０を嵌合支持する支持片部３６が突出して形成されている。
【００３７】
支持片部３６は、枠内側フレーム部材３４の全長にわたり形成されており、断熱部材５１を嵌合するための嵌合片３６ａ，３６ｂを一体に突出した基部３７の開放端部に、カバー係合部材３８を形成したものである。なお、断熱部材５１は、上述した断熱部材５０と同等の材質からなるものである。
【００３８】
カバー係合部材３８は、カバー部材７０の枠内側に形成した係合部７１に係合する長さに形成されており、枠外側縁部に係合突起３８ａが突出して形成されている。
このカバー係合部材３８の枠外側半部には、タイト部材６０を嵌合保持するための嵌合用片３８ｃ，３８ｃが、互いに所要の間隔をおいて突設されている。
【００３９】
カバー部材７０は、フレーム３０によりやや大きい面積の縦長方形の板体として形成されており、これの枠内側端部にフレーム係合部７１を形成しているとともに、枠外側端部に係合部７２を一体に形成している。
【００４０】
フレーム係合部７１は、上記したカバー係合部材３８に係合する二つの係止片７１ａ，７１ｂを突設してなるものである。
係合部７２は、吊元側端部の室内側に配設されており、それは、被係合部１９に係合する断面略Ｕ字状に形成され、被係合部１９に対して、弾性的に変形させて係合するように形成している。
【００４１】
本実施形態における係合部７２は、上記した係合用片１９ａ，１９ｂに挿入することにより、幅が狭まるように弾性変形するようにしている。
【００４２】
室内側フレーム部材３３の枠外側端部には、カバー部材７０を支持するための複数の支持部材８０…が、上下方向に互いに所要の間隔をおいて配設されている。
支持部材８０は、横向きにした略三角柱形の本体８１と、これのカバー部材７０との当接面に緩衝材８１を貼着した構成になっている。
【００４３】
図５（Ａ）は、図１に示すＩＩ線に沿う部分の拡大断面図、（Ｂ）は、同じくＩＩＩ線に沿う部分の拡大断面図である。なお、図５において、上記図１〜４において説明したものと同等のものについては、それらと同一の符号を付して詳細な説明を省略する。
【００４４】
袖扉３０の上端面３０ａと、上枠３の下面との間には、袖扉３０を開閉するときに上下動を許容する間隙α２が形成させている。
また、袖扉３０の下端面３０ｂには、これの幅にほぼ一致する長さにした断面四角形のキャップ部材３１が固定されており、袖扉３０を閉じたときに、そのキャップ部材３１が下枠４の上面４ａに当接するようになっている。
【００４５】
以上の構成からなる扉体Ａの動作について説明する。
図３に示すように、袖扉３０を開位置（イ）に移動させて開いた状態から、図２に示すように閉位置（ア）に向けて閉じると、被係合部１９の係合用１９ａ，１９ｂ間に、係合部７２が挿入されるとともに、当接片部３３ａにタイト部材６０が当接し始める。
【００４６】
係合用１９ａ，１９ｂ間に、係合部７２が挿入されることにより、その係合部７２は弾性的に狭幅となるように変形して、被係合部１９と係合する。これにより、袖扉３０が、閉位置（ア）に保持されるとともに、被係合部１９と係合部７２とが密着することにより、内側枠部１１と袖扉３０との間における通気を遮断して、気密性を確保できる。
【００４７】
また、当接片部３３ａにタイト部材６０が当接することにより、そのタイト部材６０が弾性的に変形し、そのタイト部材６０と当接片部３３ａとの間の通気が遮断されて気密性を向上させている。
【００４８】
さらに、袖扉３０の枠内側端部に配設したタイト部材６０と主扉２０の一部とが当接することにより、そのタイト部材６０が弾性的に変形し、そのタイト部材６０と主扉２０との間の通気が遮断されて、袖扉３０と主扉２０との間における気密性をも向上させている。
【００４９】
袖扉３０を閉位置（ア）に移動するとき、その袖扉３０を、丁番４０に設けた所要の間隙α１及び袖扉３０の上端面３０ａと上枠３の下面との間の間隙α２（図５（Ａ）参照）を利用して上方に移動させた状態にする。
換言すると、袖扉３０ののキャップ部材３１が、下枠４の上面４ａから離れた状態にして移動するのである。
【００５０】
そして、袖扉３０を閉位置（ア）に移動したとき、所要の間隙α１，α２を利用して袖扉３０のキャップ部材３１が扉枠１０の下枠４の上面４ａに当接させるように下方に移動して、キャップ部材３１を扉枠１０の下枠４の上面４ａに当接載置する。
これにより、袖扉３０のキャップ部材３１と下枠４との間の間隙をなくすことができ、通気を遮断できる。
【００５１】
なお、本発明は上述した実施形態に限るものではなく、次のような変形実施が可能である。
上述した実施形態においては、袖扉のパネル板の吊元側縁部（竪枠側縁部）に係合部を一体に形成した例について説明したが、例えばフレーム３１に上記した係合部と同等のものを形成した構成にしてもよい。
【００５２】
上述した実施形態においては、袖扉と外枠に、これらの対向する辺縁全域にわたり、互いに係合することにより、その袖扉を閉じた閉位置に保持するための係合部と被係合部とを配設した構成について例示したが、袖扉と外枠の対向する辺縁の一部に上記したものと同等の係合部と被係合部を互いに間をおいて配列した構成にしてもよい。
【図面の簡単な説明】
【００５３】
【図１】（Ａ）は、本発明の一実施形態に係る袖扉装置を採用した扉体を室内側から視た正面図、（Ｂ）は、その扉体を室外側から視た正面図である。
【図２】図１（Ａ）に示すＩ‐Ｉ線に沿う部分の拡大図であり、袖扉を閉位置に移動した状態を示している。
【図３】外枠に対して袖扉を開閉自在に軸支する丁番を示しており、（Ａ）は、その平面図、（Ｂ）は、その正面図である。
【図４】図１（Ａ）に示すＩ‐Ｉ線に沿う部分の拡大図であり、袖扉を開位置に移動した状態を示している。
【図５】（Ａ）は、図１に示すＩＩ線に沿う部分の拡大断面図、（Ｂ）は、同じくＩＩＩ線に沿う部分の拡大断面図である。
【符号の説明】
【００５４】
１０    扉枠
１９    被係合部
３０    袖扉
４０    丁番
４１    回転軸
４２ａ  枠側回転軸挿通部
４２    枠側取付部材
４３ａ  扉側回転軸挿通部
４３    扉側取付部材
７０    パネル板
７２    係合部
α１    所要の間隙
（ア）  閉位置
【図１】
0005121580.tif 000002
【図２】
0005121580.tif 000003
【図３】
0005121580.tif 000004
【図４】
0005121580.tif 000005
【図５】
0005121580.tif 000006